(57)【特許請求の範囲】
【請求項１】
建物の壁に明けられた壁孔から配管材を引き出すための引出し具であって、
前記壁に固定可能な固定部と、筒状に形成された引出し具本体と、を備え、
前記引出し具本体は、その筒内が、前記配管材が挿通される挿通孔となるとともに、その一端側が、前記配管材が引き出される引出し口となっており、かつ、
前記引出し具本体は、本体部と、その本体部の一端側に取り外し可能に取り付けられるとともに前記引出し口を有する引出し口構成材とからなり、
前記引出し具本体には、前記配管材が挿通されていないときに前記引出し口側からの水や埃の侵入を防止すべく、前記挿通孔を閉塞する、前記引出し具本体とは別体に形成された閉塞材が備えられ、
その閉塞材は、前記本体部から前記引出し口構成材を取り外すことで、前記引出し具本体内に着脱可能に収容されることを特徴とする、配管材の引出し具。
【請求項２】
前記引出し口が上側を向くようにして、前記固定部が前記壁に固定されることを特徴とする請求項１に記載の、配管材の引出し具。
【請求項３】
前記引出し具本体には、前記配管材が密接して通される通孔を有する止水部材が設けられ、
その止水部材は、前記本体部から前記引出し口構成材を取り外すことで、前記引出し具本体内に着脱可能に収容され、かつ、
前記閉塞材は、前記止水部材の前記通孔を覆うように取り付けられていることを特徴とする請求項１または２に記載の、配管材の引出し具。
【請求項４】
前記閉塞材は、前記止水部材の全体を覆うように袋状に形成されていること特徴とする請求項３に記載の、配管材の引出し具。
【発明の詳細な説明】
【０００１】
【発明の属する技術分野】
この発明は、建物の壁に明けられた壁孔から配管材を引き出すための、配管材の引出し具に関するものである。
【０００２】
【従来の技術および発明が解決しようとする課題】
従来、建物の壁に明けられた壁孔を貫通するように、配管材を配管するにあたって、その配管材を壁孔から引き出すための引出し具が用いられた。この引出し具は、配管材が挿通される挿通孔を備え、その一端側が、配管材が引き出される引出し口となっていた。そして、施工においては、引出し具が、壁に取り付けられ、その後に、配管材が、引出し具の引出し口から引き出されるようにして配管された。
【０００３】
ここで、壁への引出し具の取付けと、配管材の配管との、施工の時期は異なっており、引出し具を壁に取り付けた後、配管材を配管するまでの間に、引出し口側から、雨水や埃が侵入する虞があった。
【０００４】
この発明は、上記した従来の欠点を解決するためになされたものであり、その目的とするところは、引出し具を壁に取り付けた後、配管材を配管するまでの間に、水や埃が侵入することがない、配管材の引出し具を提供することにある。
【０００５】
【課題を解決するための手段】
この発明に係る配管材の引出し具は、前記目的を達成するために、次の構成からなる。すなわち、
請求項１に記載の発明に係る配管材の引出し具は、建物の壁に明けられた壁孔から配管材を引き出すための引出し具である。この引出し具は、前記壁に固定可能な固定部と、筒状に形成された引出し具本体と、を備える。前記引出し具本体は、その筒内が、前記配管材が挿通される挿通孔となるとともに、その一端側が、前記配管材が引き出される引出し口となっている。また、前記引出し具本体は、本体部と、その本体部の一端側に取り外し可能に取り付けられるとともに前記引出し口を有する引出し口構成材とからなる。そして、前記引出し具本体には、前記配管材が挿通されていないときに前記引出し口側からの水や埃の侵入を防止すべく、前記挿通孔を閉塞する、前記引出し具本体とは別体に形成された閉塞材が備えられている。その閉塞材は、前記本体部から前記引出し口構成材を取り外すことで、前記引出し具本体内に着脱可能に収容される。
【０００６】
こうして、この引出し具は、その固定部が建物の壁に固定されることで、その壁に取り付けられる。そして、引出し具における筒状に形成された引出し具本体の挿通孔に、配管材が挿通されて、その配管材は、挿通孔の一端側の引出し口から引き出される。ここで、引出し具本体に配管材が挿通されていないときには、その引出し具本体に備えられる閉塞材によって、挿通孔が閉塞されて、引出し口側からの水や埃の侵入が防止される。この閉塞材は、引出し具本体とは別体であって、本体部から引出し口構成材を取り外すことで、引出し具本体内に収容されるので、引出し具本体内に確実に収められる。したがって、この閉塞材が、引出し具本体から安易に外れるのを防ぐことができる。なお、引出し具本体に配管材を挿通する際には、この閉塞材は、引出し具本体から取り除かれたり、あるいは、取り除かれることなく配管材によって突き通されたりする。
【０００７】
また、請求項２に記載の発明に係る配管材の引出し具のように、請求項１に記載の引出し具において、前記引出し口が上側を向くようにして、前記固定部が前記壁に固定されてもよい。こうして、引出し口が上側を向くことで、引出し口から引き出された配管材は、引出し具の上方に向かう方向に簡単に配管される。そして、このように、引出し口が上側を向く場合であっても、配管材が引出し具本体に挿通されていないときには、閉塞材によって、水や埃の侵入が防止される。
【０００８】
【０００９】
また、請求項３に記載の発明に係る配管材の引出し具のように、請求項１または２に記載の引出し具において、前記引出し具本体には、前記配管材が密接して通される通孔を有する止水部材が設けられ、その止水部材は、前記本体部から前記引出し口構成材を取り外すことで、前記引出し具本体内に着脱可能に収容され、かつ、前記閉塞材は、前記止水部材の前記通孔を覆うように取り付けられてもよい。これにより、引出し具本体に配管材が挿通されると、その配管材は、引出し具本体内に収容された止水部材の通孔に密接して通される。こうして、引出し具本体に配管材が挿通されたときには、その引出し具本体内に収容された止水部材によって、水の侵入が防止される。そして、引出し具本体に配管材が挿通されていないときには、止水部材の通孔を覆う閉塞材によって、水や埃の侵入が防止される。
【００１０】
また、請求項４に記載の発明に係る配管材の引出し具のように、請求項３に記載の引出し具において、前記閉塞材は、前記止水部材の全体を覆うように袋状に形成されてもよい。これにより、引出し具本体に配管材が挿通されていないときには、袋状に形成された閉塞材によって、止水部材が保護される。
【００１１】
【発明の実施の形態】
以下、この発明に係る配管材の引出し具の実施の形態を図面に基づいて説明する。
【００１２】
図１ないし図７は、本発明に係る配管材の引出し具の一実施の形態を示す。図中符号１は、建物の壁であり、１ａは、壁１に明けられた壁孔である。２は、配管材としての、水や湯を供給する給水管であって、図示実施の形態においては、可撓性を有している。３は、前記給水管２を引き出すための引出し具である。
【００１３】
ここで、給水管２の引出し具３は、壁１に固定可能な固定部としてのカバー５と、筒状に形成された引出し具本体４とを備えている。そして、引出し具本体４は、その筒内が、給水管２が挿通される挿通孔４ａとなるとともに、その一端側が、給水管２が引き出される引出し口４ｂとなっている。ここにおいて、この引出し具３は、引出し口４ｂが上側を向くようにして、カバー５が壁１に固定される。そして、引出し具本体４には、給水管２が挿通されていないときに引出し口４ｂ側からの雨水等の水や埃の侵入を防止すべく、挿通孔４ａを閉塞する閉塞部としての閉塞材Ｂが備えられている。
【００１４】
具体的には、引出し具本体４は、本体部６と、その本体部６の一端側に取り外し可能に取り付けられるとともに前記引出し口４ｂを有する引出し口構成材としてのナット７とからなっている。そして、前記閉塞材Ｂは、本体部６からナット７を取り外すことで、引出し具本体４内に着脱可能に収容される。また、引出し具本体４には、止水部材９が設けられている。さらに、この引出し具本体４には、止水部材９の他に、第１および第２の屈曲防止部Ｘ１、Ｘ２が、設けられている。
【００１５】
カバー５は、壁孔１ａを覆うものであり、板状のプレート部５ａと、そのプレート部５ａの前面側および後面側に突き出るように傾斜配置された円板状の取付部５ｂと、その取付部５ｂの周縁から直角に延びてプレート部５ａに繋がる周壁部５ｃ、５ｃとからなる。そして、プレート部５ａの四隅には、このカバー５を壁１に固定するための孔５ｄ、５ｄが明けられており、また、プレート部５ａの裏面の周囲には、壁１の表面に当接するようにパッキン５ｅが設けられている。また、取付部５ｂには、本体部６を取り付けるための、円形の取付孔５ｆが明けられている。
【００１６】
本体部６は、筒状に形成されて、その筒内が、前記給水管２が挿通される本体部挿通孔６ａとなっており、この本体部６は、前記カバー５に、そのカバー５の表裏に本体部挿通孔６ａの各側が開口するようにして設けられている。具体的には、本体部６は、その一方側であって、カバー５の表側に位置する第１本体６ｂと、他方側であって、カバー５の裏側に位置する第２本体６ｃとからなる。第１本体６ｂは、その基端部分６ｄの内周に雌ネジ６ｅが形成されており、また、第２本体６ｃは、その基端部分６ｆの外周に雄ネジ６ｇが形成されている。そして、この第２本体６ｃの基端部分６ｆが、カバー５の取付孔５ｆに挿入されて、雄ネジ６ｇと雌ネジ６ｅとが螺合することで、第１本体６ｂと第２本体６ｃとは組み付けられるとともに、これら第１本体６ｂと第２本体６ｃとが、カバー５の取付部５ｂを挟み込むようにして、その取付部５ｂに取り付けられる。また、このとき、第１本体６ｂと第２本体６ｃとの筒内が、連通して前記本体部挿通孔６ａとなり、第１本体６ｂと第２本体６ｃとからなる本体部６は、取付孔５ｆに挿通されることとなる。なお、第１本体６ｂと取付部５ｂとの間には、パッキン６ｈが設けられている。
【００１７】
また、第１本体６ｂは、その先端部分６ｉの外周に雄ネジ６ｊが形成されている。そして、第１本体６ｂの筒内は、先端側が径大部６ｋ、中間が径小部６ｍとなって、それら径大部６ｋと径小部６ｍとを繋ぐ部分は、段部６ｎとなっている。第２本体６ｃは、給水管２が収容される鞘管１０を接続するためのコネクタであって、先端部分６ｐには、鞘管１０を係止するための係止爪６ｑ、６ｑが設けられている。
【００１８】
ナット７は、その雌ネジ７ａが、本体部６の一端側（図示実施の形態においては、第１本体６ｂの先端部分６ｉの雄ネジ６ｊ）に羅着されるものである。そして、ナット７は、先端部分７ｂに、給水管２が引き出される前記引出し口４ｂを有している。そして、このナット７の引出し口４ｂと、本体部６の本体部挿通孔６ａとで、前記挿通孔４ａが構成される。また、この引出し口４ｂは、雌ネジ７ａよりも径小となっており、また、それら雌ネジ７ａと引出し口４ｂを繋ぐ部分は、段部７ｄとなっている。
【００１９】
止水部材９は、給水管２が密接して通される通孔９ａを有している。そして、この止水部材９は、本体部６からナット７を取り外すことで、引出し具本体４内に着脱可能に収容される。ところで、給水管２を、引出し具本体４に挿通する際には、本体部６からナット７が取り外された状態で、給水管２を、本体部６、後述する第１屈曲防止部材１１、止水部材９、後述する第２屈曲防止部材１２、そしてナット７に通し、その後に、止水部材９および屈曲防止部材１１、１２を引出し具本体４内に収容するようにしてナット７を本体部６に組み付ける。
【００２０】
具体的には、止水部材９は、例えば、エチレンプロピレンゴム（ＥＰＤＭ）等のゴム材等からなり、円盤状に形成されて、中央には、上下の面を貫通するようにして、円形の前記通孔９ａが明けられている。この止水部材９は、その外径が、第１本体６ｂの径大部６ｋの内径よりも若干大きく形成されており（図４参照）、ナット７が、第１本体６ｂの雄ネジ６ｊにねじ込まれると、後述する第２屈曲防止部材１２に押されて、径大部６ｋに圧入されるようになっている（図１参照）。このようにして、止水部材９が、第１本体６ｂの径大部６ｋに圧入されると、止水部材９の外周面９ｂが、径大部６ｋの周壁面、つまりは本体部挿通孔６ａの周壁面に押圧されて、通孔９ａの周壁面が内側に膨出し、この止水部材９と給水管２とは密接することとなる。
【００２１】
第１および第２の屈曲防止部Ｘ１、Ｘ２は、止水部材９部分における給水管２の屈曲を防止すべく、止水部材９を間に置く位置に、給水管２の外周面に略接するようにしてその外周面を囲むものである。そして、第１の屈曲防止部Ｘ１は、引出し具本体４とは別体の第１屈曲防止部材１１からなり、同様にして、第２の屈曲防止部Ｘ２は、引出し具本体４とは別体の第２屈曲防止部材１２からなっている。ここで、第１屈曲防止部材１１は、円筒状に形成されて、その円筒内が、給水管２が略接して通される第１孔１１ａとなっている。そして、第１屈曲防止部材１１は、その一方端に第１鍔部１１ｂが形成されており、その第１鍔部１１ｂが、第１本体６ｂの段部６ｎに当接するようにして、径小部６ｍに挿入される。同様に、第２屈曲防止部材１２は、円筒状に形成されて、その円筒内が、給水管２が略接して通される第２孔１２ａとなっている。そして、第２屈曲防止部材１２は、その一方端に第２鍔部１２ｂが形成されており、その第２鍔部１２ｂが、ナット７の段部７ｄに当接するようにして、引出し口４ｂに挿入される。
【００２２】
そして、第１および第２屈曲防止部材１１、１２、並びに止水部材９は、給水管２の外径に応じて、または給水管２の本数に応じて、複数種類の中から選択的に用いられる。つまり、給水管２の外径に対応した、内径の孔１１ａ、１２ａおよび通孔９ａを有する、屈曲防止部材１１、１２および止水部材９が複数種類用意されたり、給水管２の本数に対応した、数の孔１１ａ、１２ａおよび通孔９ａを有する、屈曲防止部材１１、１２および止水部材９が複数種類用意されている。図１は、径大の給水管２が一本の場合を示しており、この給水管２に対応して、一つの径大の孔１１ａ、１２ａおよび通孔９ａを有する、屈曲防止部材１１、１２および止水部材９が用いられている。そして、図５は、径小の給水管２が二本の場合を示しており、これら給水管２に対応して、二つの径小の孔１１ａ、１１ａ、１２ａ、１２ａおよび通孔９ａ、９ａを有する、屈曲防止部材１１、１２および止水部材９が用いられている。
【００２３】
閉塞材Ｂは、図６および図７に示すように、引出し具本体４とは別体に形成されている。そして、閉塞材Ｂは、本体部６からナット７を取り外すことで、引出し具本体４内に着脱可能に収容される。詳細には、この閉塞材Ｂは、止水部材９の通孔９ａを覆うように取り付けられる。より詳細には、閉塞材Ｂは、止水部材９の全体を覆うように袋状に形成されている。すなわち、この袋状の閉塞材Ｂに、止水部材９が入れられ、その状態で、止水部材９は、引出し具本体４内に収容される。なお、図示実施の形態においては、閉塞材Ｂは、例えば、ビニル樹脂等の合成樹脂製の袋からなっている。
【００２４】
次に、以上の構成からなる引出し具３の作用効果について説明する。この引出し具３は、そのカバー５が建物の壁１に固定されることで、その壁１に取り付けられる。ここで、引出し具本体４に給水管２が挿通されていないときには、その引出し具本体４に備えられる閉塞材Ｂによって、挿通孔４ａが閉塞されて、引出し口４ｂ側からの雨水等の水や埃の侵入が防止される。このように、引出し具本体４に、挿通孔４ａを閉塞する閉塞材Ｂが備えられているので、引出し具３を壁１に取り付けた後、給水管２を配管するまでの間に、水や埃が侵入することがない。特に、引出し口４ｂは上側を向いており、このような場合であっても、閉塞材Ｂによって、水や埃の侵入が防止される。しかも、閉塞材Ｂは、止水部材９の通孔９ａを覆っており、この閉塞材Ｂによって、水や埃の侵入を簡単に防止することができる。
【００２５】
また、閉塞材Ｂは、本体部６からナット７を取り外すことで、引出し具本体４内に収容される（図示実施の形態においては、止水部材９とともに収容される）。したがって、この閉塞材Ｂは、引出し具本体４内に確実に収められ、この閉塞材Ｂが、引出し具本体４から安易に外れるのを防ぐことができる。その上、閉塞材Ｂが引出し具本体４内に収容されることから、その閉塞材Ｂが傷付いたり破れたりするのを防ぐことができる。しかも、この閉塞材Ｂは、袋状に形成されて止水部材９の全体を覆っているので、この閉塞材Ｂによって、止水部材９が保護される。したがって、止水部材９の傷付きを防止することができ、給水管２が引出し具本体４に挿通されたときに、この止水部材９による止水の効果が保証される。
【００２６】
ところで、引出し具本体４に給水管２を挿通する際には、この閉塞材Ｂは、引出し具本体４から取り除かれたり、あるいは、取り除かれることなく給水管２によって突き通されたりする。こうして、引出し具３における筒状に形成された引出し具本体４の挿通孔４ａに、給水管２が挿通され、その給水管２は、挿通孔４ａの一端側の引出し口４ｂから引き出される。このとき、引出し口４ｂは、上側を向いており、この引出し口４ｂから引き出された給水管２は、引出し具３の上方に向かう方向に簡単に配管される。また、このようにして、引出し具本体４に給水管２が挿通されると、その給水管２は、引出し具本体４内に収容された止水部材９の通孔９ａに密接して通される。こうして、引出し具本体４に給水管２が挿通されたときには、その引出し具本体４内に収容された止水部材９によって、雨水等の水の侵入が防止される。
【００２７】
詳細には、給水管２は、筒状に形成された本体部６の本体部挿通孔６ａに挿通されて、本体部６の一端側の雄ネジ６ｊに羅着されたナット７の引出し口４ｂから引き出される。そして、本体部６とナット７とで構成される引出し具本体４には、止水部材９と、その止水部材９を間に置く位置に、給水管２の外周面に略接するようにしてその外周面を囲む、第１および第２屈曲防止部材１１、１２とが設けられている。このようにして、この第１および第２屈曲防止部材１１、１２によって、給水管２が保持されるので、引出し具本体４の外部において給水管２が曲げられる場合であっても、止水部材９部分における給水管２の屈曲が防止される。また、こうして、止水部材９部分における給水管２の屈曲が防止されることで、この止水部材９の、通孔９ａにおける給水管２との密接が維持され、その給水管２が通される通孔９ａから本体部６の本体部挿通孔６ａ内への雨水等の水の侵入が確実に防止される。すなわち、止水部材９と第１および第２屈曲防止部材１１、１２によって、止水部材９の、通孔９ａにおける給水管２との密接が維持されており、このような簡単な構造で雨水等の水の侵入を確実に防止することができる。その上、止水部材９部分における給水管２の屈曲が防止されることで、給水管２から止水部材９が受ける負荷を小さくすることができるので、止水部材９の破損や劣化を抑えることができ、この止水部材９による水の侵入防止効果を継続して維持することができる。
【００２８】
また、第１および第２屈曲防止部材１１、１２、並びに止水部材９を、複数種類の中から選択的に用いることで、異なる外径の給水管２に対応させたり、あるいは異なる本数の給水管２に対応させたりすることができる。
【００２９】
また、止水部材９が第１本体６ｂの径大部６ｋに圧入されると、止水部材９の外周面９ｂが、径大部６ｋの周壁面、すなわち本体部挿通孔６ａの周壁面に押圧されて、通孔９ａの周壁面が内側に膨出することで、給水管２は、止水部材９に容易に密接する。したがって、この止水部材９による水の侵入防止効果を一層確実に得ることができる。
【００３０】
また、この引出し具３は、本体部６が、壁孔１ａを覆うカバー５に、そのカバー５の表裏に本体部挿通孔６ａの各側が開口するようにして設けられており、こうして、この本体部挿通孔６ａに挿通される給水管２は、壁孔１ａから引き出される。そして、カバー５が壁孔１ａを覆うことで、雨水等の水が、壁孔１ａ部分における壁１と本体部６との隙間を通って侵入するのを防止することができる。
【００３１】
なお、本発明は、上述した実施の形態に限定されるわけではなく、その他種々の変更が可能である。例えば、この引出し具３が設けられる壁１は、建物の外壁であっても内壁であってもよく、また、浴室の壁等であってもよい。
【００３２】
また、第２本体６ｃには、鞘管１０が接続されているが、特に必要なければ、この鞘管１０は接続されなくともよい。
【００３３】
また、配管材は、水や湯を供給する給水管２でなくとも、排水管であってもよく、さらには、ガス管、あるいは電線が収容される電線管等であってもよい。
【００３４】
また、この引出し具３は、壁１に取り付けられたとき、引出し口４ｂが、上側を向いているが、下側を向いていてもよく、また、壁１に垂直となる方向等を向いていてもよい。ここにおいて、上側とは、真上だけでなく斜め上を含む概念であり、同様にして、下側とは、真下だけでなく斜め下を含む概念である。
【００３５】
また、この引出し具３は、固定部としてのカバー５を備えているが、このカバー５の替わりに、固定部として、例えば、壁孔１ａの周縁部に掛止される掛止部を備えていてもよい。
【００３６】
また、閉塞材Ｂは、袋状に形成されて止水部材９を覆うものでなくとも、引出し具本体４の一端側に取り付けられる（例えば、ナット７あるいは第２屈曲防止部材１２に嵌められる）キャップであってもよい。
【００３７】
【００３８】
また、第１の屈曲防止部Ｘ１は、引出し具本体４とは別体の第１屈曲防止部材１１からならなくとも、例えば、第１本体６ｂと一体となっていてもよい。同様に、第２の屈曲防止部Ｘ２は、引出し具本体４とは別体の第２屈曲防止部材１２からならなくとも、例えば、ナット７と一体となっていてもよい。
【００３９】
さらに、本発明に係る配管材の引出し具は、例えば、他の実施の形態として、請求項１ないし３に記載の引出し具において、前記閉塞材は、前記挿通孔を閉塞するシート部材であってもよい。
【００４０】
さらに他の実施の形態として、前記シート部材は、貼着可能なシール材からなっていてもよい。図８は、この場合における実施の形態を示しており、シール材１３は、止水部材９の通孔９ａを覆うようにその止水部材９に貼り付けられている。もっとも、シール材１３は、引出し口４ｂを覆うようにナット７に貼り付けられてもよく、また、屈曲防止部材１１（１２）の孔１１ａ（１２ａ）を覆うようにその屈曲防止部材１１（１２）に貼り付けられてもよい。このように、シート部材が、貼着可能なシール材１３からなることから、このシート部材は、引出し具本体４に簡単に保持される。
【００４１】
また、さらに他の実施の形態として、請求項１ないし４に記載の引出し具において、あるいは上記２つの実施の形態のうちのいずれか１つの実施の形態に係る引出し具において、前記閉塞材は、突き破り可能に形成されていてもよい。これにより、引出し具本体に配管材（給水管）を挿通する際に、例えば、配管材（給水管）によって閉塞材を突き通すようにすれば、閉塞材を取り除く必要がない。このように、配管材（給水管）を配管する際に、閉塞材を取り除く必要がなく、その配管作業を迅速に行うことができる。
【００４２】
【発明の効果】
以上、詳述したところから明らかなように、この発明に係る配管材の引出し具によれば、次の効果がある。
【００４３】
請求項１または２に記載された配管材の引出し具によれば、引出し具本体に、挿通孔を閉塞する閉塞材が備えられているので、引出し具を壁に取り付けた後、配管材を配管するまでの間に、水や埃が侵入することがない。
【００４４】
そして、引出し具本体とは別体の閉塞材は、引出し具本体内に確実に収められるので、この閉塞材が、引出し具本体から安易に外れるのを防ぐことができる。
【００４５】
また、請求項３に記載された配管材の引出し具によれば、加えて、引出し具本体に配管材が挿通されたときには、その引出し具本体内に収容された止水部材によって、水の侵入を防止することができる。そして、引出し具本体に配管材が挿通されていないときには、止水部材の通孔を覆う閉塞材によって、水や埃の侵入を簡単に防止することができる。
【００４６】
また、請求項４に記載された配管材の引出し具によれば、加えて、引出し具本体に配管材が挿通されていないときには、袋状に形成された閉塞材によって、止水部材が保護されるので、この止水部材の傷付きを防止することができる。したがって、配管材が引出し具本体に挿通されたときに、この止水部材による止水の効果が保証される。
【図面の簡単な説明】
【図１】  この発明に係る配管材の引出し具の一実施の形態の、配管材が挿通される状態の縦断面図である。
【図２】  同じく、配管材が挿通される状態の正面図である。
【図３】  同じく、配管材が挿通される状態の側面図である。
【図４】  同じく、止水部材が圧入される前を示す、配管材が挿通される状態の縦断面図である。
【図５】  同じく、屈曲防止部材および止水部材の孔の、径および数が異なる例を示す、配管材が挿通される状態の縦断面図である。
【図６】  同じく、閉塞材が取り付けられた状態の縦断面図である。
【図７】  同じく、閉塞材が取り付けられた状態の分解側面図である。
【図８】  この発明に係る配管材の引出し具の、他の実施の形態の、図６相当図である。
【符号の説明】
１  壁                            １ａ  壁孔
２  給水管（配管材）              ３  引出し具
４  引出し具本体                  ４ａ  挿通孔
４ｂ  引出し口                    ５  カバー（固定部）
６  本体部                        ７  ナット（引出し口構成材）
９  止水部材                      ９ａ  通孔
１３  シール材（閉塞材、閉塞部）
Ｂ  閉塞材（閉塞部）
【図１】
0003955229.tif 000002
【図２】
0003955229.tif 000003
【図３】
0003955229.tif 000004
【図４】
0003955229.tif 000005
【図５】
0003955229.tif 000006
【図６】
0003955229.tif 000007
【図７】
0003955229.tif 000008
【図８】
0003955229.tif 000009